(57)【要約】【課題】  コンテンツ課金をする事なく、ユーザが容易にコンテンツを見る事が可能で、かつコンテンツに対する対価が得られ、更に対価を払うスポンサーにもメリットのあるコンテンツ保護システムを提供する事。【解決手段】  半開示されたコンテンツと、これに付随するコマーシャルとをセットで提供するサーバと、該コンテンツとコマーシャルを受信して表示するユーザ端末より構成され、ユーザがコマーシャルを見る事により、コンテンツが全開示される事で、確実にコマーシャルを見せることが可能となる。コンテンツの半開示部は、階層型半開示になっていても良い。又、半開示部の復号は、端末側で行っても、サーバ側で行っても良い。【選択図】  図１
2007026195.tif 000002
【特許請求の範囲】
【請求項１】
コマーシャルの付随した半開示のコンテンツを送信するサーバと、
該コンテンツを受信して表示する端末より構成され、
ユーザがコマーシャルを見たと判定した場合は、コンテンツの半開示部を全開示にする事で、確実にコマーシャルを見せることが出来る事を特徴とする、ＣＭ一体型Ｗｅｂシステム。
【請求項２】
端末は、ユーザの音声、マウス操作、及びキー操作の少なくとも１つのユーザアクションを検出してサーバに送り、
サーバは、これらのユーザアクションを解析して、ユーザがコマーシャルを見たかどうかを判定する事を特徴とする、請求項１記載のＣＭ一体型Ｗｅｂシステム。
【請求項３】
サーバは、コマーシャルを見たと判定した場合は、コンテンツの半開示部を全開示にする為の鍵を端末に送り、
端末は、受信した鍵でコンテンツの半開示部を復号し、全開示コンテンツを表示する事で、コンテンツの再送を不要とする事を特徴とする、請求項１記載のＣＭ一体型Ｗｅｂシステム。
【請求項４】
サーバは、ユーザがコマーシャルを見たと判定した場合は、半開示部を全開示にしたコンテンツを端末に再送する事で、端末が半開示部を復号する必要がない事を特徴とする、請求項１記載のＣＭ一体型Ｗｅｂシステム。
【請求項５】
コンテンツは、その全開示期間が有限である事で、全開示コンテンツの不正使用を防ぐ事を特徴とする、請求項１記載のＣＭ一体型Ｗｅｂシステム。
【請求項６】
コンテンツは、階層型半開示構造になっていて、ユーザがコマーシャルを見る度に、コンテンツの半開示部分が段階的に全開示になる事で、繰り返しコマーシャルを見せられる様にした事を特徴とする、請求項１記載のＣＭ一体型Ｗｅｂシステム。
【請求項７】
コンテンツ半開示の状態は、コンテンツの一部の削除、別データとの入れ替え、順序変更、ノイズ付加、及び暗号化の少なくとも１つを用いて形成される事を特徴とする、請求項１記載のＣＭ一体型Ｗｅｂシステム。
【発明の詳細な説明】
【技術分野】
【０００１】
本発明は、コンテンツ課金をする事なく、ユーザが容易にコンテンツを見る事が可能で、かつコンテンツに対する対価が得られ、更にコンテンツの対価を払うスポンサーにもメリットのある、新しい形の著作権保護システムに関するものである。
【背景技術】
【０００２】
従来の著作権保護システムは、コンテンツに課金するものが多く、ユーザが増え難いと言う欠点があった。これを解決する手段として、コマーシャル付きのコンテンツ提供があるが、ＣＭスキップや、ＣＭ時は別番組を見る等で、コマーシャルが確実には見られていないと言う問題に対処する為、ユーザがコマーシャルをスキップした事を検出して、コンテンツ表示の停止を行うなどの処置を行っていた。（例えば、特許文献１参照。）図２１は、特許文献１に記載された従来の著作権保護システムの構成を示すものである。
【０００３】
図２１において、１００はコンテンツの権利保護ＬＳＩ、１０１は映像のフレームにつけられたシリアル番号判定部、１０２はコマーシャルにつけられたコマーシャルフラグ判定部、１０３はスクランブル鍵出力制御部である。
一旦端末に蓄積されたコンテンツとコマーシャルが再生される場合、ユーザが早送り等でコマーシャル部分をスキップしたり、コマーシャル期間に別チャンネルに切り替えたりすると、映像フレームに順次付加されているシリアル番号が不連続となる事をシリアル番号判定部１０１が検出すると同時に、コマーシャル映像の一部に付加されているコマーシャルフラグが検出されない事をコマーシャルフラグ判定部１０２が検出し、これらの検出結果をスクランブル鍵制御部１０３が受けて、コンテンツのスクランブルを解くかぎの出力を停止する事によって、コマーシャルスキップの防止を実現していた。
【特許文献１】特開２００５−１２３４９号公報（第１頁、図２）
【発明の開示】
【発明が解決しようとする課題】
【０００４】
しかしながら、前記従来の構成では、コマーシャル期間にユーザが別の端末で別番組を見たり、端末の前を離れて、コマーシャルが表示されているにも関わらず、ユーザはコマーシャルを見ていない事を防止出来ないと言う問題があった。
本発明は、前記従来の課題を解決するもので、ユーザに確実にコマーシャルを見させる形態の、著作権保護システムを提供することを目的とする。
【課題を解決するための手段】
【０００５】
前記従来の課題を解決するために、本発明のＣＭ一体型Ｗｅｂシステムは、半開示されたコンテンツにコマーシャルを付随させて送信するサーバと、該コンテンツとコマーシャルを受信して表示するユーザ端末より構成され、ユーザが付随しているコマーシャルを見た事を検出して、コンテンツの半開示部を全開示にする。
本構成によって、ユーザは、コマーシャルを見ない限り、半開示部分のコンテンツを見る事が出来ないので、確実にコマーシャルを見せることが出来る。
【発明の効果】
【０００６】
本発明のＣＭ一体型Ｗｅｂシステムによれば、著作権のあるコンテンツを無料でユーザに提供できるので、コンテンツを視聴するユーザが増え、かつ著作権者は、ＣＭのスポンサー料としてコンテンツの対価を確実に得る事が出来、更にＣＭのスポンサーは確実に自社のＣＭを見てもらえるので、ＣＭを自社製品販売に有効に使う事が出来る。
【発明を実施するための最良の形態】
【０００７】
以下本発明の実施の形態について、図面を参照しながら説明する。
【実施例１】
【０００８】
図１は、本発明の実施の形態１における、ＣＭ一体型Ｗｅｂステムの構成図である。図１において、１はサーバ、２は端末である。図の構成において、サーバ１は、端末２からの閲覧要求を受けて、バナー広告がリンクされたＷｅｂページ形態の半開示コンテンツを端末に送り表示する。Ｗｅｂページには、バナー広告部分をクリックすればコンテンツの半開示部を見られることが示されており、ユーザは、コンテンツを更に見たい場合は、バナー広告をクリックし、更に詳しい広告ページを見る。サーバは、広告ページにユーザが移動した事を検出して、コンテンツの半開示部を復号して全開示にする鍵を端末に送る。端末はこの鍵を使って、コンテンツの半開示部を復号し、コンテンツを全開示にする。
【０００９】
図２は、実施例１におけるＣＭ一体型Ｗｅｂシステムのソフトウエア構造を示すもので、サーバ１は、コンテンツを半開示にする為のＨＴＭＬスクランブル化ソフト１１、ユーザの動作を解析するユーザアクション解析ソフト１２、及びそれを受けて半開示コンテンツ復号用の鍵１４を発行するデスクランブル鍵発行ソフト１３を持ち、端末２は、ユーザの発声、マウス操作、キー操作等を検出するユーザアクション抽出ソフト２１と、サーバから送られる鍵１４を受けて、コンテンツの半開示部を復号するＨＴＭＬデスクランブルソフト２２を持つ。
【００１０】
図３は、サーバ１内のＨＴＭＬスクランブル化ソフト１１の動作を説明するもので、指定される半開示度に応じて、ＨＴＭＬ文書形式のコンテンツを階層的にスクランブルすると同時に、夫々の階層毎のデスクランブル鍵１４を生成する。
【００１１】
テキスト型コンテンツの半開示のさせ方は、図４に示した様に、段落入れ替え、漢字・かな・句読点の非表示、などを組み見合わせて用いる。
図５は、静止画型コンテンツの半開示のさせ方の例を示したもので、一部又は全部の画像にモザイクを入れる、ぼやかす、非表示にする、などを組み見合わせて用いる。
図６は、動画像型コンテンツの半開示のさせ方の例を示したもので、一部又は全部の画像を静止画にする、幾つかのフレームを非表示にする、フレーム順序を入れ替える、黒い画面を付加する、などを組み見合わせて用いる。
図７は、音声型コンテンツの半開示のさせ方の例を示したもので、音楽信号の周波数帯域の一部を出力しない、音楽のテンポを変える、雑音を付加する、などを組み見合わせて用いる。
【００１２】
図８は、４ページから成るテキスト型コンテンツに、半開示を階層的に適用した例であり、コンテンツの１ページ目は全開示されており、図９に示す様に鍵なしで読めるが、２ページ目は句読点がスクランブルされて表示されないので、図１０に示す様に読み難い。句読点を表示する為には、鍵３を入手して句読点のスクランブルを解く必要がある。３ページ目は更に段落わけも表示されないので、図１１に示す様にかなり読み難い。これまでに入手した鍵３で句読点を補っても未だ不十分で、鍵２を入手して段落分けを正しくする必要がある。４ページ目は、図１２に示す様に更に助詞も表示されないので、更に鍵１を入手して、助詞を表示させる必要がある。鍵の入手は、広告を見る度に１つずつ行われるので、全ページを完全に見る為には４回広告を見る必要がある。
【００１３】
図１８は、４ページから成る静止画型コンテンツの半開示に階層構造を適用した例で、１ページ目は全開示、２ページ目はレベル１の軽いモザイク入り、３ページ目はレベル２の中程度のモザイク入り、４ページ目はレベル３の極度のモザイク入りになっている。ユーザが広告を見る度に鍵３、鍵２、鍵１を入手し、それを用いてモザイク部分のスクランブルを解く事で、２ページ目以降の半開示状態が段階的に解除される。
【００１４】
図１９は、４分から成る動画像型コンテンツの半開示に階層構造を適用した例で、最初の１分は全開示、次の１分はレベル１の軽いモザイク入り、その次の１分はレベル２の中程度のモザイク入り、最後の１分はレベル３の極度のモザイク入りになっている。ユーザが広告を見る度に鍵３、鍵２、鍵１を入手し、それを用いてモザイク部分のスクランブルを解く事で、コンテンツの半開示状態が段階的に解除される。
【００１５】
図２０は、４分から成る音声型コンテンツの半開示に階層構造を適用した例で、最初の１分は全開示、次の１分はレベル１の軽い雑音入り、その次の１分はレベル２の中程度の雑音入り、最後の１分はレベル３の極度の雑音入りになっている。ユーザが広告を見る度に鍵３、鍵２、鍵１を入手し、それを用いて雑音部分のスクランブルを解く事で、コンテンツの半開示状態が段階的に解除される。
【００１６】
ユーザが確実に広告を見たか否かは、以下の様にして判定する。
ユーザが広告ページを見る為に、マウス操作やキー入力操作を行うと、図１３に示す端末１内のユーザアクション抽出ソフト２１の判定部２１１がそれを検出し、ユーザアクション信号をサーバ２に送る。サーバ２では、その信号をユーザアクション解析ソフト１２内の判定部１２１が解析し、ユーザが広告を見たかどうかを判定する。ユーザアクションが、広告を見る事に伴って行われたものか否かは、図１５に示す様なアクションか否かで判定する。先ず、ユーザが広告画面を開いたか否かは、端末より広告ページの表示要求を示すユーザアクション信号で分かる。しかし、実際にその画面を見たか否かは未だ不確実であるので、更に、毎回場所の移動する広告画面を閉じるボタンが正しく押されて、元の画面の再表示を要求するユーザアクション信号が来る事を確認する。端末側に元の画面が記憶されている場合は、元の画面の再表示要求信号が来ないので、一定時間ユーザアクションがおこらないまま経過すれば、ユーザは広告を見たと判定しても良い。
【００１７】
ユーザが広告を見た事を更に確実にするには、キーワード入力などを促す様に広告画面を構成して置き、正しい入力があった事をユーザアクション信号から判定しても良い。ユーザアクションは、マウスやキー操作の他に、ユーザに発声を促し、それを検出しても良い。又、ユーザが商品購入ボタンを押した場合は、残りコンテンツの半開示を一度に全て解除する等の特別処理をおこなっても良い。
これらのユーザアクション検出は、端末２内に特別なソフトを組み込まなくても、標準的に組み込まれているＷｅｂブラウザソフトが発信するＷｅｂページ取得のためのアドレス信号や、端末から送られて来るキー入力データ等を利用する事も出来る。
【００１８】
ユーザが、広告を見たと判定した場合、図１６に示す様に、デスクランブル鍵発行ソフト１３内の鍵選択部１３１が、現在のコンテンツの半開示階層の深さを半開示度ｍより得て、その階層のスクランブルを１つ解除するための鍵ｍを鍵群１４中から選び、鍵加工部１３２に送る。鍵加工部１３２は、与えられた鍵ｍに、所定時間経過後は自動的に鍵ｍを消去するタイマーソフトを組み込み、端末１に出力する。この様なタイマーソフトは、良性のウイルスソフトとして作成可能である。
端末１では、図１７に示す様に、ＨＴＭＬデスクランブルソフト２２内の復号部２２１が、鍵１４を受け取り、これを用いて半開示コンテンツのスクランブルを解き、半開示度が１だけ下がったコンテンツとして、表示部２２２を通して出力する。鍵１４が不正にコピーされても、所定時間後には消滅するので不正使用を防ぐ事が出来る。
以上を繰り返す事で、スポンサーは希望する回数だけ、ユーザに広告を見せる事が可能になる。見せる広告内容は毎回変えても良い。
【００１９】
半開示コンテンツのデスクランブル処理は、端末２内では行わず、サーバ１内で処理してその結果を端末１に送っても良い。この場合は、端末への半開示コンテンツのデスクランブルソフトの組み込みや、毎回の鍵送信の必要がなく、特別な端末を必要とせず、ユーザの利便性が上がる。
又、鍵１４に時限タイマーを設けたが、この時限タイマーはコンテンツに組み込んで、所定時間経過後はコンテンツ自身が自動消滅する様にしても良い。
【産業上の利用可能性】
【００２０】
本発明にかかるＣＭ一体型Ｗｅｂシステムは、ユーザがＣＭを見ないとコンテンツの半開示が解除されないので、確実にＣＭをユーザに見させる事が可能であると言う、ＣＭスポンサーにとってのメリットが大きく、又ユーザは、ＣＭを見る代わりに無料でコンテンツの視聴が出来ると言うメリットがあり、コンテンツの権利者は、ＣＭスポンサー料として確実にコンテンツの対価を回収出来るメリットがあるので、これからの新しい著作権保護システムとして非常に有用である。
【図面の簡単な説明】
【００２１】
【図１】本発明の実施の形態１におけるＣＭ一体型Ｗｅｂシステムの構成図。
【図２】ＣＭ一体型Ｗｅｂシステムのソフトウエア構成とその処理フロー図。
【図３】サーバ内のＨＴＭＬスクランブル化ソフトの構成図。
【図４】テキスト型コンテンツの半開示のさせ方の例。
【図５】静止画型コンテンツの半開示のさせ方の例。
【図６】動画像型コンテンツの半開示のさせ方の例。
【図７】音声型コンテンツの半開示のさせ方の例。
【図８】テキスト型コンテンツの半開示に階層構造を適用した例。
【図９】テキスト型コンテンツの例。
【図１０】テキスト型コンテンツのゆるい半開示の例。
【図１１】テキスト型コンテンツの中程度の半開示の例。
【図１２】テキスト型コンテンツのきつい半開示の例。
【図１３】端末内のユーザアクション抽出ソフトの構成図。
【図１４】サーバ内のユーザアクション解析ソフトの構成図。
【図１５】ユーザアクションの例。
【図１６】サーバ内のデスクランブル鍵発行ソフトの構成図。
【図１７】端末内のＨＴＭＬデスクランブルソフトの構成図。
【図１８】静止画型コンテンツの半開示に階層構造を適用した例。
【図１９】動画像型コンテンツの半開示に階層構造を適用した例。
【図２０】音声型コンテンツの半開示に階層構造を適用した例。
【図２１】従来の著作権保護システムの構成図。
【符号の説明】
【００２２】
１  サーバ
１１  ＨＴＭＬスクランブル化ソフト
１２  ユーザアクション解析ソフト
１２１  判定部
１３  デスクランブル鍵発行ソフト
１３１  鍵選択部
１３２  鍵加工部
１４  鍵
２  端末
２１  ユーザアクション抽出ソフト
２１１  判定部
２２  ＨＴＭＬデスクランブルソフト
２２１  復号部
２２２  表示部
【図１】
2007026195.tif 000003
【図２】
2007026195.tif 000004
【図３】
2007026195.tif 000005
【図４】
2007026195.tif 000006
【図５】
2007026195.tif 000007
【図６】
2007026195.tif 000008
【図７】
2007026195.tif 000009
【図８】
2007026195.tif 000010
【図９】
2007026195.tif 000011
【図１０】
2007026195.tif 000012
【図１１】
2007026195.tif 000013
【図１２】
2007026195.tif 000014
【図１３】
2007026195.tif 000015
【図１４】
2007026195.tif 000016
【図１５】
2007026195.tif 000017
【図１６】
2007026195.tif 000018
【図１７】
2007026195.tif 000019
【図１８】
2007026195.tif 000020
【図１９】
2007026195.tif 000021
【図２０】
2007026195.tif 000022
【図２１】
2007026195.tif 000023